(57)【特許請求の範囲】
【請求項１】
移動体通信ネットワークにおいて基地局（Ｉub）とアクセスネットワークコントローラ（ＲＮＣ）との間のインターフェースにおいて無線リンクを確立する方法であって、
前記基地局への前記リンクを確立する要求メッセージを前記アクセスコントローラによって送信することと、前記基地局によって返送される応答メッセージを受信することとを含み、
前記要求メッセージは、前記無線リンクの制御プロトコル（ＮＢＡＰ）のメッセージと、前記リンク上のトランスポート制御プロトコル（ＡＬＣＡＰ）の複数のメッセージとを連結することにより形成されることを特徴とする方法。
【請求項２】
前記要求メッセージは、前記トランスポート制御プロトコルのメッセージの数を含むことを特徴とする請求項１に記載の無線リンク確立方法。
【請求項３】
前記応答メッセージは、前記無線リンク制御プロトコルのメッセージと、前記トランスポート制御プロトコルの複数のメッセージとを連結することにより形成されることを特徴とする請求項１に記載の無線リンク確立方法。
【請求項４】
前記移動体通信ネットワークはＵＭＴＳネットワークであり、前記インターフェースは前記ネットワークのＩubインターフェースであり、前記無線リンク制御プロトコルはＮＢＡＰプロトコルであり、前記トランスポート制御プロトコルはＡＬＣＡＰプロトコルであることを特徴とする請求項１ないし３のいずれか一項に記載の無線リンク確立方法。
【請求項５】
前記要求メッセージに含まれる前記ＡＬＣＡＰプロトコルメッセージは、ＡＡＬ２接続要求メッセージであることを特徴とする請求項４に記載の無線リンク確立方法。
【請求項６】
前記応答メッセージに含まれる前記ＡＬＣＡＰプロトコルのメッセージは、ＡＡＬ２接続確認メッセージであることを特徴とする請求項４に記載の無線リンク確立方法。
【発明の詳細な説明】
【０００１】
【発明の属する技術分野】
本発明は全般に移動体電気通信ネットワークにおいて無線リンクを確立する方法に関する。より厳密には、本発明は、ＵＭＴＳネットワークのアクセスネットワークコントローラ（ＲＮＣ）と基地局（Ｂノード）との間の無線リンクを確立する方法に関する。
【０００２】
【従来の技術】
図１は、ＵＴＲＡＮ（ＵＭＴＳ陸上無線アクセスネットワークを意味する）として知られている、ＵＭＴＳに関連するアクセスネットワークを非常に概略的に示す。そのアクセスネットワークは、ユーザの移動端末（ＵＥ、ユーザ装置を意味する）と、相互接続ネットワーク（ＣＮ、コアネットワークを意味する）との間のリンクを提供する。そのアクセスネットワークは、アクセスネットワークコントローラ（ＲＮＣ、無線ネットワークコントローラを意味する）と基地局（Ｂノード）とを有し、各ＲＮＣコントローラは複数のＢノードを制御することができる。Ｂノードとそれを制御するＲＮＣとの間のインターフェースは、Ｉubインターフェースと呼ばれる。
【０００３】
ＲＮＣコントローラは、無線リソースを管理し、ハンドオーバを制御するための役割を担う。これを果たすために、ＲＮＣコントローラは、Ｉubインターフェースに対するＡＡＬ２の接続を確立するか、または解放する。移動端末がソフトハンドオーバの状態にあるとき、移動端末は、同じＲＮＣコントローラあるいは異なるコントローラによって制御されることができる、いくつかの基地局と同時に通信を行う。それゆえ、移動端末が移動するとき、新しいＡＡＬ２接続を確立し、他の接続を解放する必要があり、これは、そのユーザの通信を遮断しないように迅速に行われる必要がある。
【０００４】
図２は、ＵＴＲＡＮアクセスネットワークに関する３ＧＰＰワーキンググループによって指定されるような、Ｉubインターフェースにおいて用いられる種々のプロトコル階層を示す。Ｉubインターフェースは、２つの個別のプロトコル層、すなわちトランスポート層（Ｉ）と、無線機能に関連する層（ＩＩ）とを用いる。
【０００５】
第１のプロトコル階層（ＲＮＣＰ、無線ネットワーク制御階層を意味する）は、ＵＭＴＳ制御メッセージの転送に関連する。それは、ユーザの通信を支援するために、ＢノードとＲＮＣコントローラとの間で無線リソースをネゴシエートするためのＮＢＡＰ（ノードＢアプリケーションパートを意味する）アプリケーションプロトコルを含む。このプロトコルのメッセージは、アダプテーション層を介してＡＴＭリンク上で伝送される。
【０００６】
第２のプロトコル階層（ＴＮＣＰ、トランスポートネットワーク制御階層を意味する）は、トランスポート層の制御メッセージの転送に関連する。それは、制御階層（ＲＮＣＰ）とユーザ階層との間の独立性を提供するＡＬＣＡＰ（アクセスリンク制御アプリケーションパート）プロトコルを含む。ＡＬＣＡＰプロトコルのメッセージは、アダプテーション層を介してＡＴＭ層上で伝送される。
【０００７】
第３のプロトコル階層（ＵＰ、ユーザ階層を意味する）は、ユーザトラフィックフローに関連する。それは、共通あるいは専用の論理チャネル（ＬＣＨ）と、ＡＴＭ層への適合性を提供するＡＡＬ２層とを含む。
【０００８】
図３は、無線リンクを確立するための手順を概略的に示す。ＲＮＣのＮＢＡＰプロトコル層が、Ｉubインターフェース上で確立されることになるＡＡＬ２接続の数を指定する要求（ＮＢＡＰ：ＲＬ呼設定要求）を伝送することにより、その手順を開始する。基地局（Ｂノード）は、それに応じて、ＡＴＭ接続識別子をコントローラに供給する応答メッセージ（ＮＢＡＰ：ＲＬ呼設定応答）によって応答する。メッセージＲＬ呼設定要求およびＲＬ呼設定応答の内容は、「ＵＴＲＡＮ  Ｉub  Ｉｎｔｅｒｆａｃｅ  ＮＢＡＰ  Ｓｉｇｎａｌｌｉｎｇ」というタイトルの、無線アクセスネットワークに関する３ＧＰＰ特別ワーキンググループからの仕様書３ＧＴＳ２５．４３３に記載される。
【０００９】
次に、ＲＮＣのＡＬＣＡＰプロトコル層が、ＮＢＡＰ層によって必要とされる数に等しい数のＡＡＬ２接続要求を生成する。より厳密には、その各要求（Ｑ．ＡＡＬ２（ＡＬＣＡＰ）：ＥＲＱ）が、Ｑ．ＡＡＬ２とも呼ばれるＱ．２６３０．１シグナリングに準拠してＲＮＣによって伝送され、基地局のその部分において、それぞれ接続のための識別子を含む、対応する応答確認（Ｑ．ＡＡＬ２（ＡＬＣＡＰ）：ＥＣＦ）を生成する。
【００１０】
それゆえ、基地局とＲＮＣコントローラとの間の無線リンクを確立するための手順は、その手順が、２つのプロトコルレベル（ＮＢＡＰおよびＡＬＣＡＰ）と、２（Ｎ＋１）個のメッセージの交換とを介在させることを必要とするので、比較的面倒である。ここで、Ｎはそのリンクを支援するために確立されることになるＡＡＬ２接続の数である。しかしながら、ここまで見てきたように、この確立手順は迅速でなければならない。
【００１１】
【発明が解決しようとする課題】
本発明の目的は、Ｉubインターフェース上の無線リンクを確立するための手順を簡単にすることである。
【００１２】
本発明の目的は、そのリンクを確立するために、ＲＮＣコントローラと基地局との間で交換されるメッセージの数を低減することである。
【００１３】
【課題を解決するための手段】
この目的を果たすために、本発明による方法は、基地局へのリンクの確立を要求するメッセージをアクセスコントローラによって送信することと、基地局によって返送される応答メッセージを受信することとを含む、移動体電気通信ネットワークにおける基地局（Ｉub）とアクセスネットワークコントローラ（ＲＮＣ）との間のインターフェースにおいて無線リンクを確立することによって特徴付けられ、その要求メッセージは、その無線リンクの制御プロトコル（ＮＢＡＰ）からのメッセージと、そのリンク上のトランスポート制御プロトコル（ＡＬＣＡＰ）からの複数のメッセージとを連結することにより形成される。
【００１４】
変形形態によれば、要求メッセージは、そのトランスポート制御プロトコルのメッセージの数を含む。
【００１５】
その応答メッセージは、無線リンク制御プロトコルのメッセージと、トランスポート制御プロトコルの複数のメッセージとを連結することにより形成されることが有利である。
【００１６】
好ましい応用形態によれば、移動体電気通信ネットワークはＵＭＴＳネットワークであり、そのインターフェースはそのネットワークのＩubインターフェースであり、無線リンク制御プロトコルはＮＢＡＰプロトコルであり、トランスポート制御プロトコルはＡＬＣＡＰプロトコルである。
【００１７】
典型的には、要求メッセージに含まれるＡＬＣＡＰプロトコルのメッセージは、ＡＡＬ２接続要求メッセージである。
【００１８】
この場合には、応答メッセージに含まれるＡＬＣＡＰプロトコルのメッセージは、ＡＡＬ２接続確認メッセージである。
【００１９】
上記のおよび他の本発明の特徴は、添付の図面に関連して与えられる説明を読むことによりさらに明らかになるであろう。
【００２０】
【発明の実施の形態】
本発明が基づいている全般的な考えは、一方ではＲＮＣコントローラの要求メッセージを連結し、もう一方では基地局の応答メッセージを連結することである。確立要求（ＮＢＡＰ：ＲＬ呼設定要求）および対応する応答（ＮＢＡＰ：ＲＬ呼設定応答）はそれぞれ、連結された要求メッセージおよび連結された応答メッセージに一体化され、その結果、その手順において１つのプロトコルレベルが動作する。
【００２１】
連結された要求メッセージフォーマットが図４に示される。
【００２２】
ＲＮＣコントローラによって送信されるメッセージ（４００）は、（４１０）において、ＮＢＡＰプロトコルの無線リンク確立要求、すなわち（ＮＢＡＰ：ＲＬ呼設定要求）と、（４２０）において、そのリンクを支援するためのＡＡＬ２接続要求の数（Ｎ）と、（４３０1）、（４３０2）、．．．、（４３０N）において、Ｎ個のＡＡＬ２接続要求メッセージ、すなわちＱ．ＡＡＬ２（ＡＬＣＡＰ）：ＥＲＱ＃１、Ｑ．ＡＡＬ２（ＡＬＣＡＰ）：ＥＲＱ＃２、．．．、Ｑ．ＡＡＬ２（ＡＬＣＡＰ）：ＥＲＱ＃Ｎとを含む。
【００２３】
連結された応答メッセージフォーマットが図５に示される。
【００２４】
基地局によって送信されるメッセージ（５００）は、（５１０）において、応答メッセージ（ＮＢＡＰ：ＲＬ呼設定応答）と、（５２０1）、（５２０2）、．．．、（５２０N）において、Ｎ個のＡＡＬ２接続確認メッセージ、すなわちＱ．ＡＡＬ２（ＡＬＣＡＰ）：ＥＣＦ＃１、Ｑ．ＡＡＬ２（ＡＬＣＡＰ）：ＥＣＦ＃２、．．．、Ｑ．ＡＡＬ２（ＡＬＣＡＰ）：ＥＣＦ＃Ｎとを含む。
【００２５】
その後、無線リンク確立手順は、ＲＮＣコントローラのＡＣＡＬＰ層によって連結された要求メッセージを送信することからなる。このメッセージは、基地局によって、基本的なＮＢＡＰメッセージ、すなわちＲＬ呼設定要求、Ｑ．ＡＡＬ２（ＡＬＣＡＰ）：ＥＲＱ＃１、Ｑ．ＡＡＬ２（ＡＬＣＡＰ）：ＥＲＱ＃２、．．．、Ｑ．ＡＡＬ２（ＡＬＣＡＰ）：ＥＲＱ＃Ｎに分解される。その後、基地局は、ＮＢＡＰ応答メッセージ、すなわちＲＬ呼設定応答と、接続確認メッセージＱ．ＡＡＬ２（ＡＬＣＡＰ）：ＥＣＦ＃１、Ｑ．ＡＡＬ２（ＡＬＣＡＰ）：ＥＣＦ＃２、．．．、Ｑ．ＡＡＬ２（ＡＬＣＡＰ）：ＥＣＦ＃Ｎとを、連結されたメッセージの形で送信する。
【図面の簡単な説明】
【図１】  ＵＭＴＳに関連するアクセスネットワークの概略図である。
【図２】  Ｉubインターフェースにおいて用いられるプロトコル階層の概略図である。
【図３】  無線リンクを確立するための、Ｉubインターフェース上のメッセージ交換の概略図である。
【図４】  本発明による方法において用いられる要求メッセージフォーマットを示す図である。
【図５】  本発明による方法において用いられる応答メッセージフォーマットを示す図である。
【図１】
0003889602.tif 000002
【図２】
0003889602.tif 000003
【図３】
0003889602.tif 000004
【図４】
0003889602.tif 000005
【図５】
0003889602.tif 000006